(57)【要約】【課題】従来の端子台は、端子台に接続する電線に設けたマークチューブを固定しておらず、マークチューブが回転し正面の情報記載面を向いていなかったり、マークチューブが自重によりずり落ちてしまうといった課題がある。【解決手段】端子台本体１の端子ネジ部２，３に端子ネジ１２で締め付けて接続される電線６の外周に設けられ外面に接続先情報９が記載されたマークチューブ８を備えた端子台において、前記マークチューブ８が電線６に対して回転せずまたずり落ちないように固定する固定フック１１を端子台本体１に設けた。【選択図】図１
2019129047.tif 000002
【特許請求の範囲】
【請求項１】
端子台本体の端子接続部に締め付により接続される電線の外周に設けられ外面に接続先情報が記載されたマークチューブを備えた端子台において、前記マークチューブが電線に対して回転せずまたずり落ちないように固定する固定フックを前記端子台本体に設けたことを特徴とする端子台。
【請求項２】
前記端子台本体を構成する部材の一部を延長して前記固定フックを構成したことを特徴とする請求項１に記載の端子台。
【請求項３】
前記固定フックは、前記端子台本体の端子部仕切りを延長して構成するとともに、前記端子台の側面に設けられていることを特徴とする請求項２に記載の端子台。
【請求項４】
前記固定フックは、前記端子台本体の側面から所定距離離れた位置に形成されていることを特徴とする請求項１から請求項３までの何れか１項に記載の端子台。
【請求項５】
開口端部を形成したひし形の開口部を前記固定フックに設け、一箇所の端子接続部に２本の電線を結線した場合にそれらの電線ならびに前記電線に設けられたマークチューブを一括して前記開口部により固定するようにしたことを特徴とする請求項１から請求項４までの何れか１項に記載の端子台。
【発明の詳細な説明】
【技術分野】
【０００１】
この発明は、例えば配電盤・制御盤（以下「盤」という）の内外の配線の接続、分岐又は中継を行うために使用される端子台の構造に関するものである。
【背景技術】
【０００２】
盤に設置される一般的な端子台例と、その端子台に接続されるマークチューブを設けた電線を図６に示す。端子台本体１は主に左端子ネジ部２、右端子ネジ部３、接続される電線名称を示す文字板部５が同一平面上に固定されて構成されている。左端子ネジ部２または右端子ネジ部３に直接的または座金などを介して電線６の先に取り付けた圧着端子７を締め付けて電線６を接続する。結線（電線６の接続）は端子台本体１を盤に設置した状態で前面から文字板部５を確認しながら行うことができる。
また、図７に電線６にマークチューブ８を取り付けた状態を示す。通常、電線６にはマークチューブ８を設けており、接続先に関する情報であるマークチューブ記載情報９が印字または手書きにて記載されている。マークチューブ８は電線６の外周に巻き付けるものが利用されており、外面の文字および記号等のマークチューブ記載情報９を目視することで、電線６の接続先が確認できる構造となっている。
【０００３】
上述の電線６に設けるマークチューブ８には、電線６を特定するためのマークチューブ記載情報９が記載されており、電線の接続時や保全時にその記載情報を確認することで、作業を効率的に行うことができる。しかし、電線６の外周に巻き付ける形状のマークチューブ８は、マークチューブ８を電線６に対して固定していないため、回転してマークチューブ記載情報９が正面を向いておらず視認できなかったり、電線６を地面方向に配線する際に下にずり落ちてしまう問題がある。そこで、接続時や保全時の作業効率を向上させる取り組みがなされてきた。
例えば、電線と同時に線番を記入するためのマークチューブを固定できるように、モールドケースのような電線保持部にマークチューブ固定用の溝を設け、電線とマークチューブを差し込んで、上下にスライドするレバーで圧接し固定する構造をとるものがある（特許文献１参照）。
【先行技術文献】
【特許文献】
【０００４】
【特許文献１】特開平８−２５０１６９号公報
【発明の概要】
【発明が解決しようとする課題】
【０００５】
従来の端子台は、端子台に接続する電線に設けたマークチューブを固定しておらず、マークチューブが回転し正面の情報記載面を向いていなかったり、マークチューブが自重によりずり落ちてしまうといった課題がある。また、端子台においては一箇所の端子ネジ部に対し２本の電線を接続して使用する場合も多く、上記特許文献１における端子台では、２本の接続線を同一端子部に固定できない構造となっている。
【０００６】
この発明は上記のような課題を解決するためになされたものであり、マークチューブを端子台に対して固定し回転およびずり落ちを防ぎ、接続した電線のマークチューブ情報記載面を前面から常に視認することが可能な端子台を得ることを目的とする。
【課題を解決するための手段】
【０００７】
この発明による端子台は、端子台本体の端子接続部に締め付により接続される電線の外周に設けられ外面に接続先情報が記載されたマークチューブを備えた端子台において、前記マークチューブが電線に対して回転せずまたずり落ちないように固定する固定フックを前記端子台本体に設けたものである。
【発明の効果】
【０００８】
この発明の構成によれば、簡潔な構成で電線の外周に設けたマークチューブを確実に固定でき、かつマークチューブ記載情報の面が前面に向くように簡単に固定することができる。
【図面の簡単な説明】
【０００９】
【図１】この発明に係る実施の形態１による端子台の構成を示す前面斜視図である。
【図２】この発明に係る実施の形態１による端子台の構成を示す正面図である。
【図３】この発明に係る実施の形態２による端子台の構成を示す前面斜視図である。
【図４】この発明に係る実施の形態２による端子台の構成を示す正面図である。
【図５】この発明に係る実施の形態３による電線を固定した固定フックの状態を示す側面図である。
【図６】一般的な端子台を例示する正面図である。
【図７】マークチューブを取付けた電線の構成を示す外観図である。
【発明を実施するための形態】
【００１０】
実施の形態１．
この発明の実施の形態１による端子台の構成を図１および図２に基づき説明する。
図１はこの発明の実施の形態１による端子台の構成を示す前面斜視図、図２はこの発明の実施の形態１による端子台の構成を示す正面図である。
図１に示すように、端子台本体１は端子配設部４と文字板部５から構成される。端子配設部４にて電線６の圧着端子７を、端子接続部としての端子ネジ１２を用いて端子台本体１に締結することで接続する。端子配設部４では隣接する端子間にて端子部仕切り１０が設けられている。この端子部仕切り１０を右端子ネジ部３と左端子ネジ部２の端子部にてそれぞれ左右に延長し、電線６を挟み込める形状の切欠きを備えた固定フック１１を端子部仕切り１０の端部に設けている。
【００１１】
固定フック１１は開口部ＰＳを切欠いた所定の弾性を有する金属板で構成されており、その切欠き部形状は、図１では後面から徐々に開口部ＰＳが広がり、中間部で最大巾となり、前面では徐々に開口部ＰＳが狭まり、かつ最前端では開口端部ＰＥで開口した形状となっている。この形状は一例であり、開口部ＰＳの上面と下面に複数の溝を設けたりしても同様の効果を得ることができる。
このような構成をとることで、電線６および電線６に取り付けたマークチューブ８を纏めて固定フック１１に挟み込むことにより、電線６とマークチューブ８を端子台本体１にて固定する。固定フック１１によってマークチューブ８が電線６に対して回転せず、かつ、電線６からずり落ちないように固定される。電線６とマークチューブ８を固定する際、作業者にてマークチューブ８のマークチューブ記載情報９の面が前面に向くように固定する。電線６は撚り線からなる素線に所定の柔軟性および弾性を有する樹脂製の絶縁被覆が設けられているものであって、絶縁被覆の外周に絶縁被覆と同様の柔軟性および弾性を有する樹脂製チューブからなるマークチューブ８が嵌装されているものであり、マークチューブ８の外周を固定フック１１の前面側に設けられた開口端部ＰＥに押し当てマークチューブ８を嵌装した電線６を固定フック１１の弾性に抗して固定フック１１の開口部ＰＳに挟み込むものである。
【００１２】
なお、結線時の端子台前面は図２に示すとおり、一般的な端子台として例示した図６の端子台とほとんど変わらない構造である。図１および図２に示した実施例では、端子ネジ１２は左端子ネジ６個、右端子ネジ６個の例が図示されているが、端子ネジ１２の数は６個に限定されるものでなく、左端子ネジおよび右端子ネジはそれぞれ６個未満でもよく、また６個を超えてもよい。
このような構成をとることにより、簡単な構成でマークチューブ８を確実に固定でき、かつマークチューブ記載情報９の面が前面に向くように簡単に固定することができて、目視側（手前側）に接続した電線のマークチューブ情報記載面を前面から常に視認することが可能な端子台を得ることができる。
【００１３】
実施の形態２．
この発明に係る実施の形態２における端子台の構成を図３および図４に基づき説明する。図３はこの発明に係る実施の形態２による端子台の構成を示す前面斜視図、図４はこの発明に係る実施の形態２による端子台の構成を示す正面図である。
図３に示すとおり、本実施の形態２は実施の形態１における固定フック１１を端子部仕切り１０の延長線上に設けるのではなく、端子台本体１の側面部に対向して端子台本体１の側面から所定距離離れた位置に固定フック１１を取り付け配置する。これにより、端子部仕切り１０と固定フック１１の間に作業者の指が入るスペースが確保される。電線６を端子台本体１に接続する際には、作業者が指で電線６をつまみ固定しながら端子ネジ部２，３の端子ネジ１２で締め付けるが、端子ネジ部２，３の端子ネジ１２により近い位置で電線６をつまめるため、実施の形態１と比較して電線６を容易に接続することができる。
【００１４】
その他の構成は実施の形態１と同様の構成である。端子台本体１に締結することで接続する電線６において、電線６および電線６に取り付けたマークチューブ８を纏めて固定フック１１に挟みこむことにより、電線６とマークチューブ８を端子台本体１にて固定する。電線６とマークチューブ８を固定する際、作業者にてマークチューブ８のマークチューブ記載情報９の面が前面に向くように固定する。
【００１５】
実施の形態３．
この発明に係る実施の形態３について図５を参照しながら説明する。
図５はこの発明の実施の形態１および実施の形態２による端子台の側面図であり、２本の電線６を端子台本体１に接続した例を示している。
端子台本体１には一箇所の端子ネジ１２（図１参照）からなる端子接続部に２本の電線を結線する場合がある。図５に示すとおり、固定フック１１の側面の電線６が通る開口部ＰＳの形状を略ひし形とし、２本の電線６を一箇所の固定フック１１に挟み込むことにより、電線６とマークチューブ８を端子台本体１にて固定する。電線６とマークチューブ８を固定する際、作業者にて２本の電線の内、手前側にある電線のマークチューブ８のマークチューブ記載情報９（図１参照）が前面に向くように固定する。
端子台においては一箇所の端子接続部に対し２本の電線を接続して使用する場合も多く、上記特許文献１における端子台では、２本の接続線を同一端子部に固定できない構造となっているのに対し、この実施の形態３における構成によれば、２本の接続線を同一端子接続部に結線する場合にマークチューブ８が電線６に対して回転せずまたずり落ちないように固定することができる。
【００１６】
なお、マークチューブ記載情報９は接続先を示す情報なので、一箇所の端子接続部に２本の電線を結線する場合、２本の電線のマークチューブ記載情報９は同一となる。そのため後側のマークチューブ８に記載されている内容は確認する必要が無く、手前側にある電線のマークチューブ記載情報９が前面を向き確認出来れば良い。
【００１７】
なお、本発明は、その発明の範囲内において、実施の形態を自由に組合せたり、各実施の形態を適宜、変形、省略することが可能である。
【符号の説明】
【００１８】
１  端子台本体、２，３  端子ネジ部、４  端子配設部、５  文字板部、６  電線、７  圧着端子、８  マークチューブ、９  マークチューブ記載情報、１０  端子部仕切り、１１  固定フック、１２  端子ネジ。
【図１】
2019129047.tif 000003
【図２】
2019129047.tif 000004
【図３】
2019129047.tif 000005
【図４】
2019129047.tif 000006
【図５】
2019129047.tif 000007
【図６】
2019129047.tif 000008
【図７】
2019129047.tif 000009